(57)【要約】【課題】滑らかさ、柔らかさといった風合いに優れ、かつ低コストで製造することが可能な衛生用紙を提供する。【解決手段】複数枚の原紙２，４の積層体６からなるマルチプライの衛生用紙１である。複数枚の原紙２，４には、その全面に亘ってエンボスが形成されており、積層体６を構成する１枚の原紙２における表面２ａ及び裏面２ｂのうち一方の面（表面２ａ）のみに全面に亘って保湿剤を塗工し、当該原紙２における他方の面（裏面２ｂ）及び他の原紙４の表面４ａ及び裏面４ｂには保湿剤を塗工していない。【選択図】図１Ａ
2011224151.tif 000002
【特許請求の範囲】
【請求項１】
複数枚の原紙の積層体からなるマルチプライの衛生用紙であって、
前記複数枚の原紙には、その全面に亘ってエンボスが形成されており、
前記積層体を構成する１枚の原紙における表面及び裏面のうち一方の面のみに全面に亘って保湿剤を塗工し、
当該原紙における他方の面及び他の原紙の表面及び裏面には前記保湿剤を塗工していない衛生用紙。
【請求項２】
前記エンボスがマッチドスチールエンボスである請求項１に記載の衛生用紙。
【発明の詳細な説明】
【技術分野】
【０００１】
本発明は、吸水性、柔軟性、意匠性等を向上させるエンボスが形成されるとともに、柔軟性を付与する保湿剤を付着させた衛生用紙に関するものである。
【背景技術】
【０００２】
ティシュペーパー、トイレットペーパー等の衛生用紙の分野においては、吸水性、肌当たりの柔らかさ、意匠性を向上させる等の目的で、原紙にエンボスを形成することが行われている。また、柔軟性を付与することを目的として、原紙に保湿剤を付着させることも行われている。
【０００３】
そのような衛生用紙としては、例えば、基材紙（原紙）の表裏両面の全面に薄用紙処理剤（保湿剤や柔軟剤等）が塗布されているとともに、基材紙の表裏両面の全面にエンボスが形成された衛生薄用紙が開示されている（特許文献１参照）。
【先行技術文献】
【特許文献】
【０００４】
【特許文献１】特開２００９−２４０７２１号公報
【発明の概要】
【発明が解決しようとする課題】
【０００５】
特許文献１には、前記衛生薄用紙は、保湿剤の塗布及びエンボス形成によって滑らかさ、柔らかさといった風合いが向上されている旨が記載されている。しかし、前記衛生薄用紙は、基材紙（原紙）の表裏両面の全面に保湿剤等を塗布するため、保湿剤を大量に使用する必要があり、製造コストが高いという課題があった。
【０００６】
本発明は、このような従来技術の有する課題に鑑みてなされたものであり、滑らかさ、柔らかさといった風合いに優れ、かつ低コストで製造することが可能な衛生用紙を提供するものである。
【課題を解決するための手段】
【０００７】
本発明者らは前記課題を解決するために鋭意検討した結果、マルチプライの衛生用紙を構成する全ての原紙の全面に亘ってエンボスを形成するとともに、原紙のうち１枚の原紙における表面及び裏面のうち一方の面のみに全面に亘って保湿剤を塗工することによって、前記課題を解決可能であることを見出し、本発明を完成するに至った。即ち、本発明によれば、以下に示す衛生用紙が提供される。
【０００８】
［１］複数枚の原紙の積層体からなるマルチプライの衛生用紙であって、前記複数枚の原紙には、その全面に亘ってエンボスが形成されており、前記積層体を構成する１枚の原紙における表面及び裏面のうち一方の面のみに全面に亘って保湿剤を塗工し、当該原紙における他方の面及び他の原紙の表面及び裏面には前記保湿剤を塗工していない衛生用紙。
【０００９】
［２］前記エンボスがマッチドスチールエンボスである前記［１］に記載の衛生用紙。
【発明の効果】
【００１０】
本発明に係る衛生用紙は、滑らかさ、柔らかさといった風合いに優れ、かつ低コストで製造することができる。
【図面の簡単な説明】
【００１１】
【図１Ａ】本発明に係る衛生用紙の一の実施形態を模式的に示す側面図である。
【図１Ｂ】図１Ａに示す衛生用紙の一部を拡大して模式的に示す側面図である。
【図２Ａ】本発明に係る衛生用紙の別の実施形態を模式的に示す断面図である。
【図２Ｂ】図２Ａに示す衛生用紙の一部を拡大して模式的に示す側面図である。
【図３Ａ】本発明に係る衛生用紙を得るためのエンボスロールに形成されるエンボスパターンの一例を模式的に示す平面図である。
【図３Ｂ】図３Ａに示すエンボスパターンをＡ−Ａ’で切断した端面の一部を模式的に示すＡ−Ａ’端面図である。
【図３Ｃ】図３Ａに示すエンボスパターンをＢ−Ｂ’で切断した端面の一部を模式的に示すＢ−Ｂ’端面図である。
【発明を実施するための形態】
【００１２】
以下、本発明に係る衛生用紙を実施するための形態について図面を参照しながら具体的に説明する。但し、本発明はその発明特定事項を備える衛生用紙を広く包含するものであり、以下の実施形態に限定されるものではない。
【００１３】
［１］本発明に係る衛生用紙の特徴：
本発明に係る衛生用紙は、例えば図１Ａ及び図１Ｂに示す衛生用紙１のように、複数枚の原紙２，４には、その全面に亘ってエンボス１０が形成されており、積層体６を構成する１枚の原紙２における表面２ａ及び裏面２ｂのうち一方の面（表面２ａ）のみに全面に亘って保湿剤１２を塗工し、当該原紙２における他方の面（裏面２ｂ）及び他の原紙４の表面４ａ及び裏面４ｂには保湿剤を塗工していないものである。
【００１４】
このように、マルチプライの衛生用紙１を構成する全ての原紙２，４の全面に亘ってエンボスが形成されていることにより、衛生用紙１に優れた柔軟性が付与される。また、原紙２に保湿剤１２を塗工することで、滑らかさ、柔らかさといった風合いに優れる。更に、保湿剤１２は積層体６を構成する１枚の原紙２における表面２ａ及び裏面２ｂのうち一方の面（表面２ａ）にしか塗工していないので低コストで製造することができる。原紙２の表面２ａに塗工した保湿剤１２は積層体６全体に浸透する。即ち、原紙２の表面２ａに塗工した保湿剤１２が経時的に原紙２の裏面２ｂ、原紙４の表面４ａを経て原紙４の裏面４ｂにまで浸透する。
【００１５】
［２］本発明に係る衛生用紙の実施形態：
以下、本発明に係る衛生用紙を構成要素毎に説明する。
【００１６】
［２―１］衛生用紙：
「衛生用紙」とは、液体や汚れを拭き取るための吸収性に優れた紙である。「衛生用紙」の種類について特に制限はなく従来公知の衛生用紙を用いることができる。具体的には、ティシュペーパー（顔ふき紙、化粧紙等と呼ばれるもの）、ちり紙、ペーパータオル（キッチンペーパー等）、トイレットペーパー、ワッティング（紙綿）等の使い捨て紙（例えば、紙パルプ技術便覧第５版、第４５９頁参照、１９９２年１月３０日発行、紙パルプ技術協会編集・発行）等を挙げることができる。
【００１７】
本発明の衛生用紙は、トイレットロールのようなロール状のものであってもよいし、ティシュペーパーのようなシート状のものであってもよい。図１Ａ及び図１Ｂに示す衛生用紙１は本発明をトイレットロールに適用した例であり、２枚の原紙２，４の積層体６からなる２プライの衛生用紙１が紙管８に巻回されてロール状に構成されている。一方、図２Ａ及び図２Ｂに示す衛生用紙２１は本発明をティシュペーパーに適用した例であり、２枚の原紙２２，２４の積層体２６からなる２プライの衛生用紙２１が折り畳まれ、積層された衛生用紙束３６の状態でカートン３４に収納されている。
【００１８】
「マルチプライ」とは、衛生用紙が複数枚の原紙の積層体から構成されている形態を指す。代表的な例としては、図１Ａ及び図１Ｂに示す衛生用紙１のような２枚の原紙２，４が積層された２プライの衛生用紙を挙げることができる。但し、本発明は、３枚以上の原紙が積層された３プライ以上のマルチプライ衛生用紙にも適用することができる。
【００１９】
［２−２］原紙：
「原紙」は、衛生用紙の構成材料とある紙材料であり、従来公知の紙材料の中から衛生用紙の種類、用途等に応じて適宜選択すればよい。例えば、トイレットペーパー用であれば、坪量１０〜２５ｇ／ｍ２に抄紙された原紙を、ティシュペーパー用であれば、坪量１０〜１８ｇ／ｍ２に抄紙された原紙を好適に用いることができる。前記範囲内の原紙は強度と柔軟性のバランスに優れており、柔らかい触感を保ちつつ、適正な強度を有するものである。
【００２０】
［２−３］エンボス：
「エンボス」とは、１対のロール間に対象物（原紙）を挟み込んで押圧し、ロール表面に形成された凸模様を原紙に型押しすることによって形成される型押し模様である。このエンボス加工によって、或いは、原紙に凹凸が形成され、空気層を含んだ嵩高い状態となるため、衛生用紙に柔軟性を付与することができる。
【００２１】
「その全面に亘って」とは、プライボンディングを目的として製品（ロール状トイレットペーパー）の側縁部に該当する部分のみに形成されるエンボス（いわゆる「エッジエンボス」）を排除する趣旨である。ここで「側縁部」とは、最終製品である衛生用紙を製品の幅方向に三等分する平行線を引いた場合において、その平行線より幅方向外側の部分を意味するものとする。即ち、前記平行線で挟まれた部分（「幅方向中央部」と称することにする。）以外の部分である。
【００２２】
原紙の全面に亘って形成されるエンボス（即ち、エッジエンボス以外のエンボス）としては、例えばマイクロエンボス等を挙げることができる。
【００２３】
「マイクロエンボス」とは、主として柔軟性向上のために付されるエンボスである。より具体的には、頂面部の面積が０．０１〜２ｍｍ２のドットエンボスを意味する。通常、マイクロエンボスの頂面部は平面視した場合に円形状又は矩形状等の形状に形成され、長尺原紙の全面に均一に配置される。ドットの頂面形状は特に限定されないが、円形、楕円形、正方形、菱形等を挙げることができる。なお、エンボスの「頂面」とは、凸模様の頂部に形成される平面を意味する。
【００２４】
「エンボス」は積層体を構成する全ての原紙の全面に亘って形成されている必要がある。即ち、２プライの衛生用紙であれば積層体を構成する２枚の原紙の全てに、３プライの衛生用紙であれば積層体を構成する３枚の原紙の全てに、全面に亘ってエンボスが形成されている必要がある。
【００２５】
エンボスを形成する方法は、従来公知のエンボス形成方法の中から目的に応じて適宜選択すればよい。例えば、マッチドスチール法、ラバースチール法、ネステッド法、ポイント・トゥー・ポイント法等の方法を挙げることができる。
【００２６】
但し、本発明に係る衛生用紙には、マッチドスチール法によるエンボス（マッチドスチールエンボス）が形成されていることが好ましい。マッチドスチール法は、ロール周面にエンボスを形成する凸模様が形成されたエンボスロールと、ロール周面に凸模様と相補的な凹部が周面に形成された受けロール（凹ロール）との間に原紙を挟み込み押圧することによって、原紙に凸模様が型押しされたエンボスを形成する方法である。この方法は、ラバーエンボス法と比較して、衛生用紙の表裏両面に差異なくエンボス形成効果を付与することができる点で好ましい。
【００２７】
本発明に係る衛生用紙は、マルチプライを構成する複数枚の原紙が全て積層された状態でエンボス、特にマッチドスチールエンボスが形成されたものであることが好ましい。このような構成により、積層された原紙同士がしっかり噛み合い、別途プライ剥がれ防止用のエッジエンボスやクリンプが形成されていなくても、プライボンディングの効果を得ることができる。但し、本発明に係る衛生用紙はエッジエンボスやクリンプが形成されていてもよい。このような形態はプライ剥がれをより効果的に防止することができる。
【００２８】
本発明に係る衛生用紙は、頂面の面積０．２〜１．５ｍｍ２、深さ０．６〜１．２ｍｍのエンボスが複数形成されたものであることが好ましい。
【００２９】
１つのエンボスの頂面の面積を０．２〜１．５ｍｍ２の範囲内とすることによって、良好な肌触りを得ることができる。一方、面積が０．２ｍｍ２未満であると、エンボスが鋭利な形状となり、エンボスを触った際の刺激が強くなり易いため、良好な触感・肌触りが得られないおそれがある。逆に、面積が１．５ｍｍ２を超えると、衛生用紙に十分な柔軟性を付与し難くなり、良好な肌触りを得られなくなる場合がある。
【００３０】
また、エンボスの深さを０．６〜１．２ｍｍの範囲内とすることによって、プライ剥がれを有効に防止することができ、しかも良好な肌触りを得ることができる。一方、エンボスの深さが０．６ｍｍ未満であると、プライ剥がれを防止する効果が不十分となるおそれがある。逆に、エンボスの深さが１．２ｍｍを超えると、エンボスが鋭利な形状となり、エンボスを触った際の刺激が強くなり易いため、良好な触感・肌触りが得られない場合がある。
【００３１】
更に、エンボスの形状を頂面の形状を真円形状又は楕円形状とすることによって、滑らかで良好な肌触りが得られる。但し、エンボス形状は前記形状に限定されるものではなく、正方形、矩形、菱形等であってもよい。
【００３２】
また、本発明に係る衛生用紙は、エンボスが１０〜１００個／ｃｍ２の密度で形成されていることが好ましい。エンボスの密度を１０〜１００個／ｃｍ２の範囲内とすることによって、良好な肌触りを得られる。一方、エンボスの密度が１０個／ｃｍ２未満であると、衛生用紙に十分な柔軟性を付与することができなくなり、良好な肌触りを得られなくなるおそれがある。逆に、エンボスの密度が１００個／ｃｍ２を超えると、結果的にエンボス頂面の面積が小さくなる。従って、エンボスが鋭利な形状となり、エンボスを触った際の刺激が強くなり易いため、良好な触感・肌触りが得られない場合がある。
【００３３】
本発明に係る衛生用紙において、エンボスの配置パターンは特に限定されないが、エンボスを格子の交点に配置するエンボスパターン又はエンボスを千鳥に配置するエンボスパターンで形成されていることが好ましい。例えば、図３Ａ〜図３Ｃに示すエンボスパターン５０は凸模様５２を千鳥に配置した例である。このようなエンボスパターンを１つのブロックとして、当該ブロックを前後左右に繰り返されるパターンで凸模様が形成されたエンボスロールを用いてエンボスを形成すればよい。
【００３４】
［２−４］保湿剤：
本発明に係る衛生用紙には、保湿剤が塗工されている。エンボス形成と保湿剤の効果が相俟って衛生用紙の柔軟性が一層向上する。
【００３５】
本発明に係る衛生用紙は、積層体を構成する１枚の原紙における表面及び裏面のうち一方の面のみに全面に亘って保湿剤を塗工し、当該原紙における他方の面及び他の原紙の表面及び裏面には保湿剤を塗工していない点に特徴がある。例えば、図１Ａ及び図１Ｂに示すような２プライの衛生用紙１であれば、積層体６を構成する１枚の原紙２における表面２ａ及び裏面２ｂのうち一方の面（表面２ａ）のみに全面に亘って保湿剤１２を塗工し、当該原紙２における他方の面（裏面２ｂ）並びに他の原紙４の表面４ａ及び裏面４ｂには保湿剤を塗工していない。
【００３６】
このような構成によれば、積層体６の表裏両面（原紙２の表面２ａ，原紙４の表面４ａ）の全面に亘って保湿剤を塗工した場合と比較して半量、原紙２，４の表裏両面（原紙２の表面２ａ，裏面２ｂ及び原紙４の表面４ａ，裏面４ｂ）の全面に亘って保湿剤を塗工した場合と比較して１／４量に低減することができる。また、保湿剤を１面のみに塗工するため、保湿剤の塗工・噴霧装置が１基で足り、簡易な設備により製造することができる。
【００３７】
なお、図１Ａ及び図１Ｂには積層体６を構成する原紙２の外部に露出する面（表面２ａ）のみに保湿剤を塗工した例を示したが、図２Ａ及び図２Ｂに示す衛生用紙２１のように、積層体２６を構成する原紙２４の外部に露出しない面（裏面２４ｂ）のみに保湿剤３２を塗工してもよい。原紙２の表面２ａに塗工した保湿剤１２は積層体６全体に浸透する。即ち、原紙２の表面２ａに塗工した保湿剤１２が経時的に原紙２の裏面２ｂ、原紙４の表面４ａを経て原紙４の裏面４ｂにまで浸透する。
【００３８】
また、図１Ａ及び図１Ｂには２プライの衛生用紙の例を示したが、３プライ以上の衛生用紙は積層体の最外層を構成する原紙に加えて、中間層を構成する原紙が存在する。３プライ以上の衛生用紙の場合には、２プライの衛生用紙と同様に、最外層を構成する２枚の原紙のうち一方の原紙の表面及び裏面のうち一方の面のみに全面に亘って保湿剤を塗工すればよい。また、中間層を構成する原紙の表面及び裏面のうち一方の面のみに全面に亘って保湿剤を塗工してもよい。いずれの形態であっても、一方の面に保湿剤を塗工した原紙の他方の面、並びに積層体を構成する他の原紙の表面及び裏面には保湿剤を塗工しない。この場合にも、一方の原紙の一方の面に塗工した保湿剤は積層体全体に浸透する。
【００３９】
保湿剤の種類は特に限定されず、衛生用紙（保湿ティシュ等）に用いられてきた従来公知の保湿剤を好適に用いることができる。例えば、グリセリン、ジグリセリン、プロピレングリコール、１，３−ブチレングリコール、ポリエチレングリコール等の多価アルコール；ソルビトール、グルコース、キシリトール、マルトース、マルチトール、マンニトール、トレハロース等の糖類；グルコール酸系薬剤及びその誘導体；セタノール、ステアリルアルコール、オレイルアルコール等の高級アルコール；流動パラフィン等を挙げることができる。
【００４０】
また、前記成分に加えて、或いは単独で、グリシン、アスパラギン酸、アルギニン、アラニン、シスチン、システイン等のアミノ酸；アロエエキス、アマチャエキス、アシタバエキス、カリンエキス、キュウリエキス、スギナエキス、トマトエキス、ノバラエキス、ヘチマエキス、ユリエキス、レンゲソウエキス等の植物抽出エキス；オリーブ油、ホホバ油、ローズヒップ油、アーモンド油、ユーカリ油、アボカド油、ツバキ油、大豆油、サフラワー油、ゴマ油、月見草油等の植物油；ビタミン、加水分解コラーゲン、加水分解ケラチン、加水分解シルク、キトサン、尿素、ハチミツ、ローヤルゼリー、ヒアルロン酸ナトリウム、セラミド、スクワラン、ワセリン等を保湿剤として用いてもよい。
【００４１】
保湿剤は、原紙に対して１〜３ｇ／ｍ２の割合で塗工することが好ましい。付着量を１ｇ／ｍ２以上とすることにより、柔軟性を確実に発現させることが可能となる。また、３ｇ／ｍ２以下とすることにより、保湿剤の量が多すぎて紙力が弱くなり、以後の工程で紙切れが起こるという不具合を効果的に防止することができる。
【００４２】
保湿剤の付着は、グラビアロール等による塗工、スプレー式の噴霧器等による噴霧等、従来公知の方法により行うことができる。
【実施例】
【００４３】
本発明に係る衛生用紙について、図面を参照しながら具体的に説明する。但し、本発明は、その発明特定事項を備えた衛生用紙を全て包含するものであり、以下の実施例に限定されるものではない。
【００４４】
（実施例１）
図１Ａ及び図１Ｂに示す衛生用紙１を製造した。衛生用紙１は、２枚の原紙２，４の積層体６からなる（いわゆるダブルのトイレットロール）。原紙２，４としては、坪量が１７ｇ／ｍ２のトイレットペーパー用原紙を用いた。
【００４５】
図１Ａ及び図１Ｂに示す衛生用紙１は、原紙２，４を積層した積層体６の状態でマッチドスチール法によりその全面に亘ってエンボス１０を形成したものである。このエンボスは、図３Ａ〜図３Ｃに示すエンボスパターン５０が刻設されたエンボスロールにより形成した。
【００４６】
エンボスパターン５０は一つの凸模様５２が四角錘台状に形成されている。凸模様５２は頂面５２ａの横幅Ｗ１が０．９ｍｍ、縦幅Ｗ２が０．９ｍｍの正方形状、底面の横幅Ｗ３が１．１ｍｍ、縦幅Ｗ４が１．２ｍｍの矩形状、高さＨは１ｍｍとした。更に、凸模様５２の幅方向のピッチＰ１は３．６ｍｍ、周方向のピッチＰ２は３．６ｍｍとした。
【００４７】
図１Ａ及び図１Ｂに示す衛生用紙１は、積層体６を構成する１枚の原紙２における表面２ａ及び裏面２ｂのうち一方の面（表面２ａ）のみに全面に亘って保湿剤１２を塗工した。保湿剤としてはグリセリンを用いた。原紙２への付着量は２ｇ／ｍ２とした。原紙２における他方の面（裏面２ｂ）及び他の原紙４の表面４ａ及び裏面４ｂには保湿剤を塗工しなかった。原紙２の表面２ａに塗工した保湿剤１２は積層体６全体に浸透した。
【００４８】
なお、紙管８としては、外径３９ｍｍφ、厚さ０．５ｍｍのボール紙からなる紙管を用いた。衛生用紙１の幅は１１４ｍｍ、巻取り長さは３０ｍとした。
【００４９】
（実施例２）
図２Ａ及び図２Ｂに示す衛生用紙２１を製造した。衛生用紙２１は、２枚の原紙２２，２４の積層体２６からなる（いわゆる２プライのティシュペーパー）。原紙２２，２４としては、坪量が１３ｇ／ｍ２のティシュペーパー用原紙を用いた。
【００５０】
図２Ａ及び図２Ｂに示す衛生用紙２１は、原紙２２，２４を積層した積層体２６の状態でマッチドスチール法によりその全面に亘ってエンボス３０を形成したものである。このエンボス３０は、実施例１と同様に図３Ａ〜図３Ｃに示すエンボスパターン５０が刻設されたエンボスロールにより形成した。
【００５１】
図２Ａ及び図２Ｂに示す衛生用紙２１は、積層体２６を構成する１枚の原紙２４における表面２４ａ及び裏面２４ｂのうち一方の面（裏面２４ｂ）のみに全面に亘って保湿剤３２を塗工した。保湿剤としてはグリセリンを用いた。原紙２４への付着量は２ｇ／ｍ２とした。原紙２４における他方の面（表面２４ａ）及び他の原紙２２の表面２２ａ及び裏面２２ｂには保湿剤を塗工しなかった。原紙２４の裏面２４ｂに塗工した保湿剤３２は積層体２６全体に浸透した。
【産業上の利用可能性】
【００５２】
本発明の衛生用紙は、ティシュペーパー、ペーパータオル、トイレットペーパー等の衛生用紙として好適に用いることができる。
【符号の説明】
【００５３】
１：衛生用紙、２，４：原紙、６：積層体、８：紙管、１０：エンボス、１２：保湿剤、２１：衛生用紙，２２，２４：原紙、２６：積層体、３０：エンボス、３２：保湿剤、３４：カートン、３６：衛生用紙束、５０：エンボスパターン、５２：凸模様、５２ａ：頂面、Ｗ１：横幅、Ｗ２：縦幅、Ｗ３：横幅、Ｗ４：縦幅、Ｈ：高さ、Ｐ１：ピッチ、Ｐ２：ピッチ。
【図１Ａ】
2011224151.tif 000003
【図１Ｂ】
2011224151.tif 000004
【図２Ａ】
2011224151.tif 000005
【図２Ｂ】
2011224151.tif 000006
【図３Ａ】
2011224151.tif 000007
【図３Ｂ】
2011224151.tif 000008
【図３Ｃ】
2011224151.tif 000009